(57)【要約】【課題】銀塩フィルム用の一眼レフカメラを機械的な機構を使用せずにデジタルカメラ化できる、撮像素子を備えた電子スチルカメラを提供する。【解決手段】撮影レンズからの被写体光束を光学素子を通して撮像素子５１のセンサ面５３に入射させる電子スチルカメラにおいて、光学素子５１を、前記撮影レンズにより形成される被写体像の結像位置ＩＰを前記撮像レンズに対して後方にシフトさせる凹レンズ形状とした。【選択図】　図３
2004140819.tif 000002
【特許請求の範囲】
【請求項１】
撮影光学系からの被写体光束を光学素子を通して撮像素子のセンサ面に入射させる電子スチルカメラにおいて、
　前記光学素子は、前記撮影光学系により形成される被写体像の結像位置を前記撮像光学系に対して後方にシフトさせる形状とされていることを特徴とする電子スチルカメラ。
【請求項２】
前記電子スチルカメラは、フォーカルプレンシャッタを備え、該フォーカルプレンシャッタの撮影光学系に対して後方に前記光学素子および前記撮像素子が配置されている請求項１記載の電子スチルカメラ。
【請求項３】
前記光学素子は、負のパワーを有する凹レンズ形状を含む請求項１または２記載の電子スチルカメラ。
【請求項４】
　前記光学素子は、撮影光学系側の面が凹面の凹レンズ形状を含む請求項３記載の電子スチルカメラ。
【請求項５】
　前記光学素子は、前記センサ面側の面が凹面の凹レンズ形状を含む請求項３記載の電子スチルカメラ。
【請求項６】
　前記撮像素子は、前記センサ面よりも撮影光学系側に保護ガラスを備え、該保護ガラスよりも撮影レンズ側に前記光学素子が装着されている請求項１乃至５のいずれか一項記載の電子スチルカメラ。
【請求項７】
　前記光学素子は、前記撮影光学系側から順に貼り合わせられたＩＲカットフィルタ、光学接着剤層および光学ローパスフィルタを含み、前記ＩＲカットフィルタは撮影光学系側の面が凹の曲面形状であり、前記光学接着剤層は前記撮影光学系側の面が凹の平凹レンズ形状である請求項６記載の電子スチルカメラ。
【請求項８】
　前記接着剤層の屈折率は、前記ＩＲカットフィルタの屈折率よりも大である請求項７記載の電子スチルカメラ。
【請求項９】
　前記光学素子は、前記撮影光学系側から順に密着したＩＲカットフィルタ、光学接着剤層および光学ローパスフィルタを含み、前記ＩＲカットフィルタが前記撮影光学系側の面が凹の平凹レンズ形状である請求項６記載の電子スチルカメラ。
【請求項１０】
　前記光学素子は、前記撮影光学系側から順に密着したＩＲカットフィルタ、光学接着剤層および光学ローパスフィルタを含み、前記光学ローパスフィルタは前記センサ面側が凹の曲面形状であり、前記光学接着剤層が前記センサ面側が凹の平凹レンズ形状である請求項６記載の電子スチルカメラ。
【請求項１１】
　前記接着剤層の屈折率は、前記ローパスフィルタの屈折率よりも大である請求項１０記載の電子スチルカメラ。
【請求項１２】
　前記光学素子は、前記撮影光学系側から順に密着したＩＲカットフィルタ、光学接着剤層および光学ローパスフィルタを含み、前記光学ローパスフィルタが前記センサ面側が凹の平凹レンズ形状である請求項６記載の電子スチルカメラ。
【請求項１３】
　前記光学ローパスフィルタと前記保護ガラスは、接着剤層を介して貼り合わせられている請求項６から９のいずれか一項記載の電子スチルカメラ。
【請求項１４】
　前記光学ローパスフィルタと前記保護ガラスは、所定間隔離反された状態で、これらの周辺部が光学接着剤により接着されている請求項６、１１または１２のいずれか一項記載の電子スチルカメラ。
【請求項１５】
　前記光学素子は前記撮像素子に、前記センサ面よりも撮影レンズ側に前記センサ面との間を密封する状態で固定されている請求項１乃至５のいずれか一項記載の電子スチルカメラ。
【請求項１６】
　前記光学素子は、前記撮影光学系側から順にＩＲカットフィルタ、光学接着剤層および光学ローパスフィルタを含み、前記ＩＲカットフィルタは前記撮影光学系側の面が凹の曲面形状であり、前記光学接着剤層は前記ＩＲカットフィルタと密着する面が凹の平凹レンズ形状である請求項１５記載の電子スチルカメラ。
【請求項１７】
　前記光学接着剤層の屈折率は、前記ＩＲカットフィルタの屈折率よりも大である請求項１６記載の電子スチルカメラ。
【請求項１８】
　前記光学素子は、前記撮影光学系側から順に密着したＩＲカットフィルタ、光学接着剤層および光学ローパスフィルタを含み、前記ＩＲカットフィルタは前記撮影光学系側の面が凹の平凹レンズ形状である請求項１５記載の電子スチルカメラ。
【請求項１９】
　前記光学素子は、前記撮像素子に前記センサ面よりも撮影光学系側に装着された透明保護板である請求項４記載の電子スチルカメラ。
【請求項２０】
　前記光学素子としての透明保護板は、撮影レンズ側に凹の曲面形状を呈し、該透明保護板と前記センサ面との間に、屈折率が透明保護板より大の透明液体が充填されている請求項１９記載の電子スチルカメラ。
【請求項２１】
　前記光学素子としての透明保護板は、撮影レンズ側に凹の平凹レンズ形状である請求項１９記載の電子スチルカメラ。
【発明の詳細な説明】
【技術分野】
【０００１】
　本発明は、一眼レフタイプなど、フォーカルプレンシャッタを備えたカメラに適した電子スチルカメラに関する。
【背景技術】
【０００２】
　近年、いわゆる銀塩フィルムを使用する、フォーカルプレンシャッタを備えたカメラ、例えば一眼レフカメラボディを利用した電子スチルカメラ（デジタル一眼レフカメラ）が種々開発されている。銀塩フィルムを使用する一眼レフカメラボディをベースにしたデジタル一眼レフカメラの光学的要素を図１に示した。撮影レンズＬを透過した被写体光束は、クイックリターンミラー１３で反射され、設計上の結像面位置ＩＰと等価位置に配置されたフォーカシングスクリーン１５を透過し、コンデンサレンズ１７で収束され、ペンタプリズム１９で反射され、接眼レンズ２１から射出し、使用者は、この被写体光束により、フォーカシングスクリーン１５上に形成された被写体像を正立実像として観察する。一方、露光時には、クイックリターンミラー１３がアップし、フォーカルプレンシャッタ幕２３が開き、結像面位置ＩＰに被写体像が形成される。つまり、フォーカシングスクリーン１５上に形成された被写体像と同じピント状態の被写体像が結像面位置ＩＰに形成され、露光される。
【０００３】
　この種の銀塩フィルム用の一眼レフカメラボディをベースにしたデジタル一眼レフカメラでは、レンズの結像面位置ＩＰと撮像素子１０１のセンサ面１０３とは光学的に等価になる。自動焦点検出（ＡＦ）装置を備えている場合は、通常、結像面位置ＩＰにおける被写体像のピント状態を検出している。
【０００４】
　一方、一般的な電子スチルカメラにおいて、ＣＣＤイメージセンサなどの撮像素子１０１は、センサ面１０３よりも撮影レンズＬ側に、保護ガラス、光学ローパスフィルタ、ＩＲ（赤外）カットフィルタなどの光学素子が配置されている。そのため、撮像素子１０１をそのセンサ面１０３が結像面位置ＩＰと一致するようにフォーカルプレンシャッタ幕２３の後方に配置しようすると、上記光学素子がフォーカルプレーンシャッタに当接してしまう。そのため、撮像素子１０１のセンサ面１０３を結像面位置ＩＰと一致させることができず、結像面位置ＩＰよりも撮影レンズＬから離反する位置に配置するしかなく、この配置ではセンサ面１０３上ではピンボケの状態になり、鮮明な画像が得られなかった。
【０００５】
　このような問題を解決する手段として、光学ローパスフィルタ等を撮像素子から分離し、光学ローパスフィルタ等をフォーカスカルプレンシャッタ幕よりも撮影レンズ側に配置し、センサ面をクイックリターンミラーに連動させて撮影レンズの光軸方向に前後させるもの（特許文献１）や、撮像素子を撮影レンズの光軸方向に移動自在に保持して、クイックリターンミラーの回動変位、シャッタ幕の開閉に応じて光軸方向に移動させるもの（特許文献２）が提案されている。
【特許文献１】特開2000-324370号公報
【特許文献２】特開2000-101887号公報
【発明の開示】
【発明が解決しようとする課題】
【０００６】
　しかしながら、これら引用文献１、２の構造は、機械的な駆動機構を必須とするため、部品点数が増加し、収容するスペースが必要なので大型化する、などの問題があった。
【０００７】
　本発明は、上記従来の銀塩フィルム用の一眼レフカメラのボディを利用したデジタル一眼レフカメラ用の撮像素子の問題に鑑みてなされたもので、銀塩フィルム用の一眼レフカメラを機械的な機構を使用せずにデジタルカメラ化できる、撮像素子を備えた電子スチルカメラを提供することを目的とする。
【課題を解決するための手段】
【０００８】
　この目的を達成する本発明は、撮影光学系からの被写体光束を光学素子を通して撮像素子のセンサ面に入射させる電子スチルカメラにおいて、前記光学素子は、前記撮影光学系により形成される被写体像の結像位置を前記撮像光学系に対して後方にシフトさせる形状とされていること、に特徴を有する。
　フォーカルプレンシャッタを備えた電子スチルカメラに搭載する場合は、該フォーカルプレンシャッタの撮影光学系に対して後方に前記光学素子および前記撮像素子が配置される。
　前記光学素子は、負のパワーを有する凹レンズ形状を含む。より実際的には、撮影光学系側の面が凹面の凹レンズ形状、または前記センサ面側の面が凹面の凹レンズ形状を含む。
【０００９】
　実際的には、前記撮像素子は、前記センサ面よりも撮影光学系側に保護ガラスを備え、該保護ガラスよりも撮影レンズ側に前記光学素子が装着される。
　前記光学素子は、前記撮影光学系側から順に貼り合わせられたたＩＲカットフィルタ、光学接着剤層および光学ローパスフィルタを含み、前記ＩＲカットフィルタは撮影光学系側の面が凹の曲面形状であり、前記光学接着剤層が前記ＩＲカットフィルタと密着する面、つまり前記撮影光学系側の面が凹の平凹レンズ形状とする。この場合、前記接着剤層の屈折率を前記ＩＲカットフィルタの屈折率よりも大とすると、接着剤層単独でも、平凹レンズとして作用する。
　前記光学素子は、前記撮影光学系側から順に密着したＩＲカットフィルタ、光学接着剤層および光学ローパスフィルタを含み、前記ＩＲカットフィルタを前記撮影光学系側の面が凹の平凹レンズ形状とする。
【００１０】
　前記光学素子は、前記撮影光学系側から順に密着したＩＲカットフィルタ、光学接着剤層および光学ローパスフィルタを含み、前記光学ローパスフィルタは前記センサ面側が凹の曲面形状であり、前記光学接着剤層を前記センサ面側が凹の平凹レンズ形状とする。この場合、前記接着剤層の屈折率を前記光学ローパスフィルタの屈折率よりも大とすると、接着剤層単独でも、平凹レンズとして作用する。
【００１１】
　前記光学素子は、前記撮影光学系側から順にＩＲカットフィルタ、光学接着剤層および光学ローパスフィルタを含み、前記ＩＲカットフィルタは前記撮影光学系側の面が凹の曲面形状であり、前記光学接着剤層は前記ＩＲカットフィルタと密着する面が凹の平凹レンズ形状であり、前記撮像素子に、前記センサ面よりも撮影レンズ側に前記センサ面との間を密封する状態で固定される。
【００１２】
　前記光学素子は、前記撮影光学系側から順に密着したＩＲカットフィルタ、光学接着剤層および光学ローパスフィルタを含み、前記ＩＲカットフィルタは前記撮影光学系側の面が凹の平凹レンズ形状であり、前記撮像素子に、前記センサ面よりも撮影レンズ側に前記センサ面との間を密封する状態で固定される。
【００１３】
　前記撮像素子に前記センサ面よりも撮影光学系側に装着された透明保護板自体を、前記光学素子としてもよい。
　この場合透明保護板は、撮影レンズ側に凹の曲面形状とし、該透明保護板と前記センサ面との間に、屈折率が透明保護板より大の透明液体を充填する。
　または透明保護板を、撮影レンズ側に凹の平凹レンズ形状とする。
【発明の効果】
【００１４】
本発明は、撮像素子のセンサ面よりも前方に凹レンズとして作用する一般的な撮像素子に設けられている光学素子を配置したので、被写体像を形成する撮影レンズの結像面位置を後方にシフトさせることが可能になり、フォーカルプレンシャッタの直後に結像面位置がある場合でも、その結像面位置をセンサ面までシフトさせて、結像面位置をセンサ面と一致させることが可能になった。
【発明を実施するための最良の形態】
【００１５】
　以下図面に基づいて本発明を説明する。図２は、本発明の撮像素子を一眼レフカメラに搭載する場合の主要光学要素を示す図、図３は、同撮像素子を一眼レフカメラボディに搭載した実施形態の主要構成を光軸で縦断して示す断面図である。なお、図１に示した一眼レフカメラの光学要素と同一の要素には同一の符号を付してある。
【００１６】
　図３に示したこの実施形態のカメラボディ１１は、撮像素子および裏蓋を除く光学的、機械的要素は、従来の銀塩フィルム用の一眼レフカメラボディと同様である。カメラボディ１１内には、クイックリターンミラー１３、フォーカシングスクリーン１５、コンデンサレンズ１７、ペンタプリズム１９および接眼レンズ２１を含むファインダ光学系を備えている。また、クイックリターンミラー１３を透過した被写体光束は、サブミラー１４でＡＦセンサユニット２７方向に反射される。ＡＦセンサユニット２７は周知の瞳分割位相差方式のセンサであって、結像面位置ＩＰと等価位置に形成された被写体像をいわゆる瞳分割して一対の被写体像をラインセンサ上に照射して電気的な一対の被写体像信号（輝度分布信号）に変換する。カメラボディ１１に内蔵されたＣＰＵ（ＭＰＵ）は、ラインセンサから出力された一対の被写体像信号に基づいて一対の被写体像の位相差を検出し、等価位置におけるデフォーカス量を演算する。
　また、このカメラボディ１１は、ボディマウント２５に撮影レンズが着脱自在に装着され、設計上の結像面位置ＩＰがフォーカルプレンシャッタ幕２３の直後に設定されている。
【００１７】
　以上の構成は、従来の銀塩フィルム使用の一眼レフカメラの構成および処理と同様である。次に、本実施形態の特徴について説明する。この一眼レフカメラボディ１１には、フォーカルプレンシャッタ幕２３の後方に、撮像素子５１が配置されている。撮像素子５１は、裏蓋相当部材または一眼レフカメラボディ１１本体に装着される。つまり、銀塩フィルム用のカメラボディであればフィルムおよび圧板が配置される位置に撮像素子５１が保持されている。
【００１８】
　ここで、撮像素子５１には、撮影レンズ側または撮像素子５１自体に、結像面位置を撮影レンズ後方にシフトさせる保護ガラス、ＩＲ（赤外）カットフィルタ、光学ローパスフィルタなどの光学素子が設けられている。図示の実施例の光学素子は、全体として平凹レンズとして作用し、この平凹の光学素子５２の凹レンズ作用により、この一眼レフカメラボディの設計上の結像面位置ＩＰが光軸方向後方（撮影レンズから離反する方向）にシフトされ、シフト後のシフト結像面位置ＩＰ′がセンサ面５３と一致している。つまり、ＡＦセンサユニット２７によって得られたデフォーカス量に基づき合焦させた被写体の像は、センサ面５３上に合焦状態で形成される。
【００１９】
　次に、この撮像素子５１の実施例について、以下図４から図１１を参照して説明する。これらの図は、設計上の光軸Ｏを通る面で縦断して、主要光学素子のみを示した断面図である。図４から図７は、撮像素子とは別個に形成した光学素子を撮像素子に取り付けて一体化した実施例１、２、３、４を示し、図８、図９は撮像素子内に光学素子を設けた実施例５、実施例６を示し、図９、図１０は撮像素子自体に設けられている光学素子を利用する実施例７、実施例８を示している。
【００２０】
　図４〜図７に示した撮像素子５１（５１Ａ〜５１Ｄ）は、センサ面５３（５３１〜５３４）よりも撮影レンズ側（被写体光が来る側）に配置され、センサ面５３（５３１〜５３４）を密封する保護ガラス５９（５９１〜５９４）を備えている。そうしてこれらの実施例は、この保護ガラス５９（５９１〜５９４）の表面（撮影レンズ側の面）に光学素子５２（５２Ａから５２Ｄ）を取り付けて一体化したものである。
【００２１】
　図４および図５に示した実施例１、実施例２は、撮像素子５１Ａ、５１Ｂのセンサ面５３１、５３２よりも撮影レンズ側に配置された光学素子５２Ａ、５２Ｂの内、最も撮影レンズ側の面（最前面、入射側第１の面）を凹面形状にしてある。
【実施例１】
【００２２】
　図４に示した実施例１は、撮像素子５２Ａのセンサ面５３１よりも撮影レンズ側に配置された光学素子５２Ａとして、撮影レンズ側から順に、ＩＲカットフィルタ５５１、光学接着剤層５６１、光学ローパスフィルタ５７１および保護ガラスを備え、光学ローパスフィルタ５７１が光学接着剤層５８１を介して保護ガラス５９１の撮影レンズ側面に接着されている。
【００２３】
　この実施例１は、ＩＲカットフィルタ５５１を撮影レンズ側に凹の曲面形状とし、ローパスフィルタ５７１を平行平面板とし、ＩＲカットフィルタ５５１とローパスフィルタ５７１とを所定間隔離反させた状態で光学接着剤を充填して光学接着剤層５６１で接着して、光学接着剤層５６１を撮影レンズ側に凹の平凹レンズ形状としたことに特徴を有する。
【００２４】
　この実施例１は、ＩＲカットフィルタ５５１、光学接着剤層５６１、光学ローパスフィルタ５７１、光学接着剤層５８１および保護ガラス５９１が全体として撮影レンズ側を凹面とする貼り合わせ平凹レンズとして作用し、結像面位置ＩＰを撮影レンズに対して後方にシフトさせる。シフト後の結像面位置を符号ＩＰ′を付して示した。
　特にこの実施例１では、光学接着剤層５６１を、その屈折率がＩＲカットフィルタ５５１の屈折率よりも大の接着剤で形成することにより、光学接着剤層５６１も平凹レンズとして作用し、結像面位置ＩＰを撮影レンズに対して後方にシフトさせる量が多くなる。
【実施例２】
【００２５】
　図５に示した実施例２は、撮像素子５１Ｂのセンサ面５３２よりも撮影レンズ側に配置された光学素子５２Ｂとして、撮影レンズ側から順に、ＩＲカットフィルタ５５２、光学接着剤層５６２、光学ローパスフィルタ５７２、光学接着剤層５８２および保護ガラス５９２を備えている。そうして、最も撮影レンズ側に位置するＩＲカットフィルタ５５２を、撮影レンズ側（入射側）面を凹面とした平凹レンズ形状としたことに特徴を有する。
【００２６】
　この実施例２は、ＩＲカットフィルタ５５２、光学接着剤層５６２、光学ローパスフィルタ５７２、光学接着剤層５８２および保護ガラス５９２が全体として撮影レンズ側面を凹面とする貼り合わせ平凹レンズとして作用するが、ＩＲカットフィルタ５５２もその入射側面を凹面とする平凹レンズとして作用して、結像面位置ＩＰを撮影レンズから離反するシフト結像面位置ＩＰ′までシフトさせる。
　この実施例２は、センサ面５３２から最も離れたＩＲカットフィルタ５５２が平凹レンズとして作用するので、結像面位置ＩＰとシフト結像面位置ＩＰ′の間隔、つまりシフト量を大きくすることができる。
【実施例３】
【００２７】
　図６に示した実施例３は、撮像素子５１Ｃのセンサ面５３３より撮影レンズ側に装着された光学素子５２Ｃの内、保護ガラス５９３と対向するセンサ面５３３側の面を凹面にしてある。
【００２８】
　図６に示した実施例３は、撮像素子５１Ｃのセンサ面５３３よりも撮影レンズ側に配置された光学素子５２Ｃとして、撮影レンズ側から順に、ＩＲカットフィルタ５５３、光学接着剤層５６３、光学ローパスフィルタ５７３および保護ガラス５９３を備えている。
【００２９】
　ＩＲカットフィルタ５５３は平行平面板とし、光学ローパスフィルタ５７３はセンサ面５３３側を凹とする曲面形状とし、ＩＲカットフィルタ５５３と光学ローパスフィルタ５７３とを所定長離反させた状態で光学接着剤を充填して、ＩＲカットフィルタ５５３と光学ローパスフィルタ５７３との間にセンサ面５３３側に凹の平凹レンズ形状の光学接着剤層５６３を形成してある。さらに、光学ローパスフィルタ５７３と保護ガラス５９３は、周縁部を光学接着剤層５８３で接着し、光学ローパスフィルタ５７３と保護ガラス５９３との間に空気層Ａ１を密封形成してある。
【００３０】
　このように実施例３は、ＩＲカットフィルタ５５３、光学接着剤層５６３および光学ローパスフィルタ５７３により、全体として、センサ面５３３側（射出側）面が凹の貼り合わせ平凹レンズ形状を構成している。この平凹レンズ形状の作用により、結像面位置ＩＰが撮影レンズに対して後方にシフト結像面位置ＩＰ′までシフトしている。
【００３１】
　さらに実施例３は、光学接着剤層５６３を屈折率が光学ローパスフィルタ５７３の屈折率よりも大なる光学接着剤で形成することにり、光学接着剤層５６３単独で平凹レンズとして作用し、結像面位置ＩＰを撮影レンズに対して後方にシフトさせる。この実施例３によれば、ＩＲカットフィルタ５５３各部の透過率は一様なため、分光感度特性が一様になる。
【００３２】
　この実施例３は、ＩＲカットフィルタ５５３、光学接着剤層５６３および光学ローパスフィルタ５７３を一体構造とし、これを保護ガラス５９３の周縁部に設けた光学接着剤層５８３で保護ガラス５９３に接着するようにしたため、撮像素子５１ｃ部の製作が容易となった。つまり、ＩＲカットフィルタ５５３、光学接着剤層５６３および光学ローパスフィルタ５７３から成る一体構造部材をあらかじめ作製しておけば、この一体構造部材を保護ガラスに５９３に取り付けるのみで完成する。
【００３３】
　なお、この実施例３では光学接着剤層５８３でＩＲカットフィルタ５５３および光学ローパスフィルタ５７３を接着しているが、この例に限らず、例えば、スペーサーを介して一体構造部材を保護ガラス５９３に押し当て、ＩＲカットフィルタ５５３の周縁部と撮像素子５１Ｃの周縁部とを板ばねで挟圧して取り付けることも可能である。
【実施例４】
【００３４】
　図７に示した実施例４は、撮像素子５１Ｄのセンサ面５３４よりも撮影レンズ側に配置された光学素子５２Ｄとして、撮影レンズ側から順に、ＩＲカットフィルタ５５４、光学接着剤層５６４、および光学ローパスフィルタ５７４を備えている。
【００３５】
　ＩＲカットフィルタ５５４は平行平面板とし、光学ローパスフィルタ５７４は、センサ面５３４側を凹面とする平凹レンズ形状とし、光学ローパスフィルタ５７４と保護ガラス５９４とは周縁部を光学接着剤層５８４で接着して光学ローパスフィルタ５７４と保護ガラス５９４との間に空気層Ａ２を形成してある。これらのＩＲカットフィルタ５５４、光学接着剤層５６４および光学ローパスフィルタ５７４により、光学ローパスフィルタ５７４の射出側面（保護ガラス５９４側の面）が凹の貼り合わせ平凹レンズ形状を構成している。
【００３６】
　この実施例４によれば、センサ面５３４側に凹の平凹レンズを構成する光学ローパスフィルタ５７４を含む、ＩＲカットフィルタ５５４、光学接着剤層５６４および光学ローパスフィルタ５７４による全体として平凹レンズ作用により、結像面位置ＩＰが光軸方向後方にシフト結像面ＩＰ′までシフトする。
【００３７】
　さらに実施例４は、実施例３同様製作が容易であり、ＩＲカットフィルタ５５４各部の透過率は一様なため、分光感度特性が一様になる。
【００３８】
　図８および図９に示した実施例５、実施例６は、撮像素子５１Ｅ、５１Ｆから、実施例１〜実施例４の保護ガラス５９１〜５９４に相当する部材を除いてある。そうして、撮像素子５１Ｅ、５１Ｆに光学素子５２Ｅ、５２Ｆを直接装着している。
【実施例５】
【００３９】
　図８の実施例５は、撮像素子５１Ｅのセンサ面５３５よりも撮影レンズ側に配置された光学素子５２Ｅとして、入射（撮影レンズ）側からＩＲカットフィルタ５５５、光学接着剤層５６５、および光学ローパスフィルタ５７５を備えている。
　図９の実施例６は、撮像素子５１Ｆのセンサ面５３６よりも撮影レンズ側に配置された光学素子５２Ｆとして、入射（撮影レンズ）側からＩＲカットフィルタ５５６、光学接着剤層５６６、および光学ローパスフィルタ５７６を備えている。
【００４０】
　そうして実施例５では、最も撮影レンズ（入射）側のＩＲカットフィルタ５５５は撮影レンズ側に凹の曲面形状とし、光学ローパスフィルタ５７５を平行平面板とし、ＩＲカットフィルタ５５５および光学ローパルフィルタ５７５を所定間隔離反させて光学接着剤を充填し、光学接着剤層５６５を形成してある。つまり、全体として入射側の面が凹面となる貼り合わせ平凹レンズを形成してある。
【００４１】
　この実施例５によれば、撮影レンズ側に凹の平凹レンズを構成する光学接着剤層５６５の凹レンズ作用により、結像面位置ＩＰが光軸方向後方にシフト結像面ＩＰ′までシフトする。
【実施例６】
【００４２】
　図９に示した実施例６は、最も撮影レンズ（入射）側のＩＲカットフィルタ５５６は撮影レンズ側に凹の平凹レンズ形状とし、光学ローパスフィルタ５７６を平行平面板とし、ＩＲカットフィルタ５５６および光学ローパルフィルタ５７６所定間隔離反させて光学接着剤を充填し、光学接着剤層５６６を形成してある。つまり、全体として入射側の面が凹面となる貼り合わせ平凹レンズを形成してある。
【００４３】
　この実施例６によれば、撮影レンズ側に凹の平凹レンズを構成するＩＲカットフィルタ５５６の凹レンズ作用により、結像面位置ＩＰが撮影レンズから離反する後方にシフト結像面ＩＰ′までシフトする。
【００４４】
　また、実施例５、６は、保護ガラスが無いのでセンサ面５３５、５３６よりも前方の光学素子の厚さが薄くなり、センサ面５３５、５３６をフォーカルプレンシャッタ幕２３により接近させた配置することが可能になる。
【００４５】
　図１０、図１１に示した実施例７、８は、光学ローパスフィルタおよび赤外カットフィルタを撮像素子５１Ｇ、５１Ｈから分離させ、保護ガラス５９７、５９８の入射側面を凹面としたことに特徴を有する。
【実施例７】
【００４６】
　図１０に示した実施例７は、撮像素子５１Ｇの開口部に、撮影レンズ側が凹の曲面形状の保護ガラス５９７を固定し、保護ガラス５９７とセンサ面５３７との間の空間を充填剤６０によって充填し、充填材６０により、撮影レンズ側に凹の平凹レンズを形成したことに特徴を有する。充填材６０としては、屈折率が保護ガラス５９７の屈折率よりも大の物質を使用する。
　この実施例７によれば、撮影レンズ側に凹の平凹レンズを構成する充填剤６０の凹レンズ作用により、結像面位置ＩＰが光軸方向後方にシフト結像面ＩＰ′までシフトする。
【実施例８】
【００４７】
　図１１に示した実施例８は、撮像素子５１Ｈの開口部に、撮影レンズ側の面を凹面とした平凹形状の保護レンズ５９８を固定し、センサ面５３８との間の空間を密閉したことに特徴を有する。
　この実施例８によれば、撮影レンズ側に凹の平凹レンズを構成する保護レンズ５９８の凹レンズ作用により、結像面位置ＩＰが撮影レンズから離反する方向にシフト結像面ＩＰ′までシフトする。
【００４８】
　これら第７、第８の実施形態は、保護ガラス５９７、５９８を凹レンズ形状として結像面位置ＩＰを撮影レンズ後方にシフトさせる作用を持たせ、光学ローパスフィルタおよび赤外カットフィルタを別個に離反させて形成したので、光学ローパスフィルタおよび赤外カットフィルタを別個に配置可能であり、実装する際の自由度が高い。
【００４９】
　以上の通り本発明の実施形態は、撮像素子のセンサ面よりも撮影レンズ側に凹レンズの作用をする光学素子を配置したので、一眼レフカメラボディ１１の設計上の結像面位置ＩＰをシフトさせることが可能になり、銀塩フィルム用のカメラボディ１１の光学素子を変更することなく、被写体像をセンサ面に結像させることが可能な撮像素子を搭載して電子スチルカメラ化することが可能になった。
【００５０】
　以上図示実施例では、凹レンズ形状とする光学素子は平凹レンズとしたが、両凹レンズ形状としてもよく、メニスカス形状としてもよい。凹面の形状は、球面でも、非球面（回転対称非球面）でもよい。
　また、図示実施例では、凹レンズとして作用する凹面を一面としたが、複数の面、複数の光学素子の面を凹面としてもよい。また、それぞれの光学素子がどのようなレンズ形状をしていても、全体として凹形状レンズであればよい。全ての実施例では、センサ面の前の空間は酸化しないように気体、液体などが封入されている。
【図面の簡単な説明】
【００５１】
【図１】従来の撮像素子を一眼レフカメラに適用した場合の光路図である。
【図２】本発明の実施形態の、撮像素子を一眼レフカメラに搭載した電子スチルカメラの光路図である。
【図３】同本発明の実施形態の電子スチルカメラを一眼レフカメラボディに適用した場合の主要光学要素を示す、光軸で縦断した縦断面図である。
【図４】本発明の電子スチルカメラにおける光学素子および撮像素子の実施例１を示す、光軸で縦断した縦断面図である。
【図５】本発明の電子スチルカメラにおける光学素子および撮像素子の実施例２を示す、光軸で縦断した縦断面図である。
【図６】本発明の電子スチルカメラにおける光学素子および撮像素子の実施例３を示す、光軸で縦断した縦断面図である。
【図７】本発明の電子スチルカメラにおける光学素子および撮像素子の実施例４を示す、光軸で縦断した縦断面図である。
【図８】本発明の電子スチルカメラにおける光学素子および撮像素子の実施例５を示す、光軸で縦断した縦断面図である。
【図９】本発明の電子スチルカメラにおける光学素子および撮像素子の実施例６を示す、光軸で縦断した縦断面図である。
【図１０】本発明の電子スチルカメラにおける光学素子および撮像素子の実施例７を示す、光軸で縦断した縦断面図である。
【図１１】本発明の電子スチルカメラにおける光学素子および撮像素子の実施例８を示す、光軸で縦断した縦断面図である。
【符号の説明】
【００５２】
１１　　カメラボディ
１３　　クイックリターンミラー
１５　　フォーカシングスクリーン
１７　　コンデンサレンズ
１９　　ペンタプリズム
２１　　接眼レンズ
２３　　フォーカルプレンシャッタ幕
２７　　ＡＦセンサユニット
２９　　後ボディカバー
５１　　撮像素子
５２　　凹レンズ形状
５３　　センサ面
５２Ａ　光学素子
５１１　撮像素子
５３１　センサ面
５５１　ＩＲカットフィルタ
５６１　光学接着剤層
５７１　光学ローパスフィルタ
５８１　光学接着剤層
５９１　保護ガラス
ＩＰ　　結像面位置
ＩＰ′　シフト結像面位置
【図１】
2004140819.tif 000003
【図２】
2004140819.tif 000004
【図３】
2004140819.tif 000005
【図４】
2004140819.tif 000006
【図５】
2004140819.tif 000007
【図６】
2004140819.tif 000008
【図７】
2004140819.tif 000009
【図８】
2004140819.tif 000010
【図９】
2004140819.tif 000011
【図１０】
2004140819.tif 000012
【図１１】
2004140819.tif 000013